(57)【要約】【課題】障害釘や風車等の盤面部品が邪魔にならずに遊技情報表示装置を大型化することができ、しかも、遊技盤の亀裂を危惧することなく障害釘の植設作業や釘調整が容易に行なえるようにしたパチンコ遊技機を提供する。【解決手段】透明板保持枠５の裏側に該透明板保持枠５の透窓７に臨むようにして遊技盤４が配設され、遊技盤４の前面に形成され障害釘１７、風車１８及び特定入賞口１９等の盤面部品が取着される遊技球遊動領域１３と、特定入賞口１９に入賞した遊技球を検出することにより進行する遊技情報を表示する遊技情報表示装置１４とを備えてなり、遊技球遊動領域１３は遊技盤４であって木質からなる平板部４ａに形成され、遊技情報表示装置１４は遊技球遊動領域１３の外側でありかつ透窓７を介して前側から視認できる位置に配設されている構成からなる。【選択図】図２
2006288651.tif 000002
【特許請求の範囲】
【請求項１】
透明板保持枠の裏側に該透明板保持枠の透窓に臨むようにして遊技盤が配設され、前記遊技盤の前面に形成され障害釘、風車及び特定入賞口等の盤面部品が取着される遊技球遊動領域と、前記特定入賞口に入賞した遊技球を検出することにより進行する遊技情報を表示する遊技情報表示装置と、を備えてなるパチンコ遊技機であって、
前記遊技球遊動領域は前記遊技盤であって木質からなる平板部に形成され、前記遊技情報表示装置は前記遊技球遊動領域の外側でありかつ前記透窓を介して前側から視認できる位置に配設されていることを特徴とするパチンコ遊技機。
【請求項２】
前記遊技盤は、透明樹脂板部の前面上部に取付凹部を設けると共に該取付凹部に前記木質からなる平板部を嵌着して構成されている請求項１記載のパチンコ遊技機。
【発明の詳細な説明】
【技術分野】
【０００１】
本発明は、打球発射部から打ち出された遊技球が遊動する遊技球遊動領域と、該遊技球遊動領域の外側に配設され遊技情報を表示する遊技情報表示装置と、を備えたパチンコ遊技機に関するものである。
【背景技術】
【０００２】
従来、パチンコ遊技機にあっては、フィーバータイプと称されるものが主流を占めている。このパチンコ遊技機は、ベニヤ板からなる遊技盤の前面であって障害釘や特定入賞口等の盤面部品が取着される遊技球遊動領域のほぼ中央に文字、数字等の遊技情報を表示する遊技情報表示装置が装着され、また、該遊技情報表示装置の下方に特定入賞口、入賞装置がそれぞれ配置されている。そして、前記特定入賞口に遊技球が入賞すると、遊技情報表示装置における表示部の情報が変動表示して進行し、一定の時間経過後に停止して遊技情報を示す。このときの遊技情報が、例えば「７７７」といった特定の情報を示し遊技者にとって有利な特別遊技状態になったとき、一定の条件の下で前記入賞装置の開閉扉を所定回数開成させ一度に多くの入賞球が得られるようにしている（例えば、特許文献１参照。）。
【０００３】
ところで、近時遊技の興趣を高めようとするあまりに、遊技盤そのものを透明な合成樹脂材、例えばアクリル樹脂材、により成形し、かつ、遊技情報表示装置を極端に大型化させたパチンコ遊技機がある。このパチンコ遊技機は、アクリル樹脂材からなる遊技盤の前面に障害釘、風車や入賞口といった盤面部品を取着し、遊技盤の後側に前記大型の遊技情報表示装置を配置してなり、前側から遊技盤を通して遊技情報表示装置が見られるようにしている（例えば、特許文献２参照。）。
【特許文献１】特開平１０−８０５４１号公報（第２頁、図１）
【特許文献２】特開２００４−１４１２６３号公報（第６−７頁、図１、図３）
【発明の開示】
【発明が解決しようとする課題】
【０００４】
前記特許文献２のパチンコ遊技機にあっては、遊技情報表示装置が極端に大型化できると共に遊技球遊動領域も遊技情報表示装置を気にすることなく広く利用できるので、遊技の興趣が高められ好ましいことである。しかしながら、その遊技盤の前面には遊技情報表示装置に拘わりなく障害釘や風車が取着されるため、遊技情報表示装置の表示部にこれら障害釘や風車、更には打ち込まれた遊技球が重なって該表示部が遮られることが多く、場合によっては前側から表示部の情報が見ずらくなるという課題が有る。
【０００５】
また、アクリル樹脂製の遊技盤面に障害釘や風車を取着することになるが、自動釘打機により障害釘や風車を打ち込んだりハンマーを使って釘調整する際に遊技盤に亀裂が生ずることがある。このため、自動釘打機により障害釘を打つときやハンマーにより遊技盤面に植設された障害釘の釘調整をするときなどの力加減に苦慮し、それら作業が難しくなるという課題がある。
【０００６】
そこで、本発明は上記課題を解決すべくなされたもので、障害釘や風車等の盤面部品が邪魔にならずに遊技情報表示装置を大型化することができ、しかも、遊技盤の亀裂を危惧することなく障害釘の植設作業や釘調整が容易に行なえるようにしたパチンコ遊技機を提供することを目的とするものである。
【課題を解決するための手段】
【０００７】
かかる目的を達成するため、本発明のパチンコ遊技機は、透明板保持枠の裏側に該透明板保持枠の透窓に臨むようにして遊技盤が配設され、前記遊技盤の前面に形成され障害釘、風車及び特定入賞口等の盤面部品が取着される遊技情報表示装置と、を備えてなるパチンコ遊技機であって、
前記遊技球遊動領域は前記遊技盤であって木質からなる平板部に形成され、前記遊技情報表示装置は前記遊技球遊動領域の外側でありかつ前記透窓を介して前側から視認できる位置に配設されている構成からなる。
【０００８】
例えば、前記遊技盤は、透明樹脂板部の前面上部に取付凹部を設けると共に該取付凹部に前記木質からなる平板部を嵌着して構成されている。
【発明の効果】
【０００９】
本発明は、遊技球遊動領域を遊技盤であって木質からなる平板部に形成し、また、遊技情報表示装置を遊技球遊動領域の外側でありかつ透明板保持枠の透窓を介して前側から視認できる位置に配設するようにしたので、遊技球遊動領域と遊技情報表示装置とが完全に分離される。これにより、障害釘や風車等の盤面部品が表示部の邪魔にならずに遊技情報表示装置を大型化することができる。更に、遊技球遊動領域は遊技盤であって木質からなる平板部に形成されることから、遊技盤の亀裂を危惧することなく障害釘や風車の植設作業および釘調整ができ、作業上支障が生ずることはないという効果がある。
【発明を実施するための最良の形態】
【００１０】
以下、本発明に係るパチンコ遊技機の実施の形態を図面に基づき説明する。図１は第一実施の形態に係るパチンコ遊技機の正面図、図２は同透明板保持枠を開いた状態のパチンコ遊技機の斜視図、図３は同パチンコ遊技機の正面図である。パチンコ遊技機Ｐ１は方形枠状をなす木製の外枠１を有し、該外枠１の前面にその一側上下部を軸着２，２して自在に開閉できる本体枠３が配置される。該本体枠３は額縁状に成形され、該本体枠３に後で詳しく説明する遊技盤４が配設される。また、本体枠３の前面には、該本体枠３とほぼ同じ大きさを有する透明板保持枠５が一側で軸着され自在に開閉するように配置されている。
【００１１】
前記透明板保持枠５はその中央上部に透明板であるガラス板８により覆われる透窓７が開設され、該透窓７に遊技盤４の前面が臨んで前側から遊技盤４の前面が見られるようになっている。また、透窓７の下方に、後記する打球発射部２８に供給される遊技球を貯留するための上球皿９が装着される。更に、上球皿９の下方には、その中央に前記上球皿９から溢れ出る遊技球を貯留するための下球皿１０が装着され、その一側に灰皿１１が設けられる。一方、その他側には、角部に正面弧状の切欠が設けられ、上縁が該切欠に合致する本体枠３側の膨出部６に打球発射部２８から打ち出される遊技球の打球力を調節するための操作ハンドル１２が取着されている。
【００１２】
遊技盤４は、この場合木質からなる平板部４ａそのものであって、積層した所定厚みのベニヤ板から成形され、図４に示すようにやや縦長の長方形状をなす。そして、平板部４ａの前面上部に遊技球遊動領域１３が形成され、該遊技球遊動領域１３の外側であってその下方に遊技情報を表示する遊技情報表示装置１４が配設される。
【００１３】
更に詳しく説明すると、遊技球遊動領域１３はその外周を上部の外側ガイドレール１５と両側部の内側ガイドレール２５，２５ａ及び下部の底ガイドレール１６とによりほぼ正面半円形状に囲われ、該遊技球遊動領域１３には各種の盤面部品が配置される。すなわち、打ち込まれた遊技球の流下方向を変化させる多くの障害釘１７や風車１８及び入賞した遊技球を検出して前記遊技情報表示装置１４を電気的に動作させるための特定入賞口１９がそれぞれ装着される。また、開閉扉２０を前側へ傾動して開口２１を開き、一度に多くの遊技球を入賞させることができる入賞装置２２が配置されている。更に、該入賞装置２２の前面両側を含め遊技球遊動領域１３の適宜位置に、一般の入賞口２３が装着されている。
【００１４】
前記底ガイドレール１６は、一方側（図４では向かって右側）へやや下傾しており、その下端部の遊技盤４面にアウト球口２４が開設される。そして、前記遊技球遊動領域１３に打ち込まれた遊技球であって、前記特定入賞口１９、入賞装置２２や一般の入賞口２３に入賞しなかった遊技球は、底ガイドレール１６上面を流下しその下端部のアウト球口２４に流入してパチンコ遊技機Ｐ１の外側へ排出されるようになっている。
【００１５】
前記外側ガイドレール１５の基端側（図４では向かって左側）は、そのまま遊技盤４の側縁に沿って下方へ延設され、本体枠３の前面下部まで達している。なお、この場合は外側ガイドレール１５が、遊技盤４側と本体枠３側とで分離され、連なって連続している。また、底ガイドレール１６の上流側であって外側ガイドレール１５とほぼ平行に並設される内側ガイドレール２５ａも下方へ延設されている。そして、外側ガイドレール１５と内側ガイドレール２５ａとの間に発射球誘導通路２６が形成され、前記内側ガイドレール２５ａの上端部に遊技球が遊技球遊動領域１３内に放出される放出口２６ａが開設される。
【００１６】
一方、遊技盤４における遊技球遊動領域１３の下方には、図４、図５に示すように横幅寸法が遊技盤４の横幅と略同じであって、縦幅寸法が遊技盤４の縦幅寸法の略２分の１である方形状の窓開口２７が開設される。そして、遊技盤４の裏側に、前面の表示部１４ａが窓開口２７に臨むようにして遊技情報表示装置１４が配設される。遊技情報表示装置１４は、その前面表示部１４ａが遊技盤４の前面よりも後方に位置し、窓開口２７を介して前側から表示部１４ａが視認できるようになっている。この場合、表示部１４ａは、遊技者が見易いように少し上を向かせておくことが好ましい。また、図示は省略するが、窓開口２７には樹脂製またはガラス製の透明な透視板を嵌着して窓開口２７を覆い、表示部１４ａが透視板を介し前側から視認できるようにしても良い。この透視板の前面は遊技盤４の前面と面一となるようにする。
【００１７】
前記本体枠３の下部前面であって、外側ガイドレール１５の下端部内側面に打球発射部２８が形成される。該打球発射部２８には、外側ガイドレール１５の内側面と対向位置しかつ遊技球が通過し得ずに停止する間隔を離して球止部２９が配設されている。また、打球発射部２８の下方に打球発射装置３０が配設される。該打球発射装置３０はソレノイド３１を上向きに配置してなり、串通されるプランジャ３１ａに圧縮スプリング３２が巻装されている。そして、ソレノイド３１の励消磁に伴いプランジャ３１ａ先端が前記外側ガイドレール１５と球止部２９との間の打球口３３に臨むようになっている。
【００１８】
前記球止部２９と内側ガイドレール２５ａの下端との間に、球止部２９から上方へ突出すると共に外側ガイドレール１５側へ傾斜するようにして可撓性を有する戻り球防止弁３４が設けられる。この戻り球防止弁３４は、その先端と外側ガイドレール１５の内側面との間隔が遊技球の球径よりも少し短く設定される。また、戻り球防止弁３４の外側に発射球誘導通路２６と連通する戻り球誘導通路３５が設けられる。この戻り球誘導通路３５は、透明板保持枠５に開設された排出口３６を介して下球皿１０と連通している。そこで、打球発射部２８から発射された遊技球は、戻り球防止弁３４を押し退けて発射球誘導通路２６を上方へ進み、放出口２６ａから遊技球遊動領域１３に放出される。一方、発射されたにも拘わらず遊技球遊動領域１３に到達せずに途中で発射球誘導通路２６内を逆戻りする遊技球は、戻り球防止弁３４により戻り球誘導通路３５に誘導され下球皿１０に貯留される。
【００１９】
なお、前記上球皿９に貯留される遊技球は、ソレノイド３１の発射動作に伴って透明板保持枠５の裏側に装着された打球供給装置３７から打球発射部２８へ一個ずつ供給されるようになっている。また、入賞球の発生により払い出される景品球は、本体枠３の連通口３８と連通し透明板保持枠５に開設される払出口３９を介して上球皿９に払い出される。
【００２０】
第一実施の形態に係るパチンコ遊技機Ｐ１は上記構成からなり、操作ハンドル１２を握り所定の方向へ回転させることによって打球発射装置３０のソレノイド３１が電気的に作動し、該ソレノイド３１により打球発射部２８に一個ずつ供給される遊技球を打突して発射する。発射された遊技球は、発射球誘導通路２６内を上方へ誘導され、放出口２６ａから遊技球遊動領域１３に放出される。遊技球遊動領域１３に放出された遊技球は、障害釘１７や風車１８に当りながら方向を変えて流下する。そこで、例えば、遊技球が特定入賞口１９に入賞すると、これが検出されて遊技情報表示装置１４の表示部１４ａに表れる遊技情報が変動して進行する。そして、一定の時間経過後にその表示が停止して一定の遊技情報を示す。このときの遊技情報が、例えば「７７７」といった特定の情報を示し遊技者にとって有利な特別遊技状態になると、一定の条件の下で前記入賞装置２２の開閉扉２０を所定回数開成させ一度に多くの入賞球が得られることになる。
【００２１】
このように、本発明は、遊技球遊動領域１３を遊技盤４であって木質からなる平板部４ａに形成し、また、遊技情報表示装置１４を遊技球遊動領域１３の外側でありかつ透明板保持枠５の透窓７を介して前側から視認できる位置に配設するようにしたので、遊技球遊動領域１３と遊技情報表示装置１４とが完全に分離される。これにより、障害釘１７や風車１８が表示部１４ａの邪魔にならずに遊技情報表示装置１４を大型化することができる。しかも、遊技球遊動領域１３はベニヤ板からなる平板部４ａに形成されることから、遊技盤４の亀裂を危惧することなく障害釘１７や風車１８の植設作業および釘調整ができ、作業上支障が生ずるようなことはない。以下に説明する第二、第四乃至第六実施の形態に係る遊技盤１３，１３ｂについても同様であるが、遊技情報表示装置１４を遊技球遊動領域１３より下方、特にアウト球口２４より下方に位置させることにより、表示部１４ａの横幅を遊技盤４の横幅いっぱいまで長く取ることができるようになる。
【００２２】
図６及び図７は、第二・第三実施の形態に係るパチンコ遊技機を示すものであって、図６は第二実施の形態に係る透明板保持枠を開いた状態のパチンコ遊技機の正面図、図７は第三実施の形態に係る透明板保持枠を開いた状態のパチンコ遊技機の正面図をそれぞれ示す。なお、いずれのパチンコ遊技機Ｐ２，Ｐ３も、第一実施の形態に係るパチンコ遊技機Ｐ１と構成がほとんど同じなので、同一部位は同一番号を付すことによって詳しい説明は省略する。
【００２３】
第二実施の形態に係るパチンコ遊技機Ｐ２は、遊技盤４の前面下部に縦寸法に対し横寸法がほぼ３倍の長さに設定される横長の窓開口２７ａを開設し、遊技盤４の裏側に表示部１４ｂが窓開口２７ａに合致する遊技情報表示装置１４１を配設したものである。また、第三実施の形態に係るパチンコ遊技機Ｐ３は、遊技盤４の前面側部（図７では向かって右側）に横寸法に対し縦寸法がほぼ３倍の長さに設定される縦長の窓開口２７ｂを開設し、遊技盤４の裏側に表示部１４ｃが窓開口２７ｂに合致する遊技情報表示装置１４２を配設したものである。表示部１４ｂは横幅寸法が遊技盤４の横幅と略同じであって、また、表示部１４ｃは縦幅寸法が遊技盤４の縦幅と略同じである。いずれも第一実施の形態に係る表示部１４と比較して小さいが、それら大きさや位置を変えることにより、遊技球遊動領域１３ｂ，１３ｃが広くなって、面白い盤面ゲージが設計でき遊技の興趣を高めることができる。
【００２４】
このように、遊技盤４面には、表示部１４ｂ，１４ｃの大きさを変えて遊技情報表示装置１４１，１４２を遊技球遊動領域１３ｂ，１３ｃの下方または側方に配置するようにしても良く、更には、図示は省略するが遊技情報表示装置１４１を遊技球遊動領域１３ｂの上方に配置するようにしても良い。そして、これらいずれの構成をとっても、第一実施の形態に係るパチンコ遊技機Ｐ１と同等の効果が得られる。
【００２５】
図８乃至図１０はそれぞれ第四乃至第六実施の形態に係る遊技盤の分解斜視図である。なお、いずれの遊技盤４４，５４，６４も、第一実施の形態に係るパチンコ遊技機Ｐ１の遊技盤４と構成がほとんど同じなので、同一部位は同一番号を付すことにより詳しい説明は省略する。第四実施の形態に係る遊技盤４４は、図８に示すように縦幅寸法が第一実施の形態の遊技盤４の上下寸法の２分の１とされ、かつ、横幅寸法が同遊技盤４の横幅寸法とほぼ同じに設定される木質からなる平板部４５と、該平板部４５の下側に配置され、平板部４５とほぼ同じ大きさのアクリル板からなる合成樹脂板部４６とから構成される。そして、平板部４５の前面に、障害釘１７、風車１８及び特定入賞口１９等の盤面部品が取着されて打球発射部２８から打ち出された遊技球が遊動する遊技球遊動領域１３が形成される。また、透明樹脂板部４６の裏側に遊技情報表示装置１４が配置される。
【００２６】
前記透明樹脂板部４６の厚さは、平板部４５の厚みのほぼ半部に設定され、上端縁には後方へ逆Ｌ字状に屈曲する折曲片部４７が突設されている。そして、この折曲片部４７の所定位置に開設されたネジ挿通孔４８を介しこれらと対応して平板部４５側に穿設されたネジ孔４９にネジ５０を螺締することにより、平板部４５と透明樹脂板部４６が一体に固着される。これら平板部４５と透明樹脂板部４６が合わさると、第一実施の形態に係る遊技盤４の大きさに合致し、平板部４５の前面と透明樹脂板部５６の前面とは面一となる。
【００２７】
第五実施の形態に係る遊技盤５４は、図９に示すように木質からなる平板部５５とアクリル板からなる透明樹脂板部５６とから構成される。平板部５５は、その一側、すなわち平板部５５の下部であって外側ガイドレール１５側の反対側、にその角部を含めかつ外側ガイドレール１５の敷設に支障のない限界の位置まで広げた長方形状の切欠空間５７が形成される。よって、切欠空間５７の縦幅寸法は第一実施の形態に係る遊技盤４の上下寸法のほぼ２分の１とされる。そして、この切欠空間５７に透明樹脂板部５６が固着される。
【００２８】
前記遊技盤５４は、平板部５５の前面上部に遊技球遊動領域１３が形成され、透明樹脂板部５６の裏側に遊技情報表示装置１４が配置される。前記透明樹脂板部５６の厚さは、平板部５５の厚みのほぼ半部に設定され、上端縁と内端縁にそれぞれ後方へ逆Ｌ字状に屈曲する折曲片部５８が突設される。この折曲片部５８の所定位置に開設されたネジ挿通孔５９を介しこれらと対応して平板部５５側に穿設されたネジ孔６０にネジ６１を螺締することにより、平板部５５と透明樹脂板部５６とが一体に固着される。また、遊技球遊動領域１３のほぼ中央で外側ガイドレール１５の上端部をそのまま平板部５５の上隅角部部位までほぼ水平に延ばし、そこから内側ガイドレール２５をほぼ鉛直に敷設するようにすれば、第一実施の形態に係る遊技盤４と比較し、その分遊技球遊動領域１３を広げることができ、盤面ゲージの自由度が高められる。この第五実施の形態においても、平板部５５と透明樹脂板部５６が合わさると、第一実施の形態に係る遊技盤４の大きさに合致し、平板部５５の前面と透明樹脂板部５６の前面とは面一となる。
【００２９】
第六実施の形態に係る遊技盤６４は、図１０に示すように木質からなる平板部６５とアクリル板からなる透明樹脂板部６６とから構成される。この実施の形態にあっては、透明樹脂板部６６が第一実施の形態に係る遊技盤４の大きさに形成され、その前面上部に平板部６５を取り付けるための取付凹部６７が設けられる。この取付凹部６７は、前後に貫通すると共に正面方形状に形成され、後端内周縁に取付片部６８が周設される。また、該取付片部６８の所定位置に複数のネジ挿通孔６９が開設される。一方、平板部６５は、前記取付凹部６７に合致する大きさであって方形状に形成される。そして、平板部６５の前面に遊技球遊動領域１３が形成されている。
【００３０】
そして、透明樹脂板部６６の前側から取付凹部６７に平板部６５を嵌入し、透明樹脂板部６６の裏側から各ネジ挿通孔６９を介して各ネジ挿通孔６９に対応して平板部６５の裏面に設けられたネジ孔７０にネジ７１を螺締することにより平板部６５が固定される。この場合も、平板部６５の前面と透明樹脂板部６６の前面とは面一となる。また、透明樹脂板部６６の裏面下部に遊技情報表示装置１４が配設され、その表示部１４ａが前側から透明樹脂板部６６を介して見られるようになっている。
【００３１】
第四乃至第六実施の形態に係る遊技盤４４，５４，６４であっても、遊技球遊動領域１３と遊技情報表示装置１４とが完全に分離される。これにより、障害釘１７、風車１８等の盤面部品が表示部１４ａの邪魔にならずに遊技情報表示装置１４を大型化することができる。更に、遊技球遊動領域１３が平板部４５，５５，６５に形成されるから、遊技盤４４，５４，６４の亀裂を危惧することなく障害釘１７や風車１８の植設作業および釘調整ができ、作業上支障を生ずることはないといった第一実施の形態に係るパチンコ遊技機Ｐ１と同等の効果が得られる。
【００３２】
また、第四、第五実施の形態に係る遊技盤４４，５４にあっては、透明樹脂板部４６，５６を必ずしも設ける必要はなく、この場合は各平板部４５，５５がそのまま遊技盤４４，５４になる。また、遊技情報表示装置１４は本体枠３側に着脱自在に取り付けるようにする。
【図面の簡単な説明】
【００３３】
【図１】第一実施の形態に係るパチンコ遊技機の正面図。
【図２】同透明板保持枠を開いた状態のパチンコ遊技機の斜視図。
【図３】同パチンコ遊技機の正面図。
【図４】同遊技盤の斜視図。
【図５】図４のＸ−Ｘ線断面図。
【図６】第二実施の形態に係る透明板保持枠を開いた状態のパチンコ遊技機の正面図。
【図７】第三実施の形態に係る透明板保持枠を開いた状態のパチンコ遊技機の正面図。
【図８】第四実施の形態に係る遊技盤の分解斜視図。
【図９】第五実施の形態に係る遊技盤の分解斜視図。
【図１０】第六実施の形態に係る遊技盤の分解斜視図。
【符号の説明】
【００３４】
４                  遊技盤
４ａ                平板部
５                  透明板保持枠
７                  透窓
１３                遊技球遊動領域
１４                遊技情報表示装置
１７                障害釘
１８                風車
１９                特定入賞口
２４                アウト球口
２８                打球発射部
６４                遊技盤
６５                平板部
６６                透明樹脂板部
６７                取付凹部
Ｐ１                  パチンコ遊技機
【図１】
2006288651.tif 000003
【図２】
2006288651.tif 000004
【図３】
2006288651.tif 000005
【図４】
2006288651.tif 000006
【図５】
2006288651.tif 000007
【図６】
2006288651.tif 000008
【図７】
2006288651.tif 000009
【図８】
2006288651.tif 000010
【図９】
2006288651.tif 000011
【図１０】
2006288651.tif 000012